(57)【要約】【課題】  水平方向の凹凸係止部及び鉛直方向の凹凸係止部の固定を可能とし、敷設作業の簡易化及び小型ブロックから大型ブロックまで、曲面及び折れ面敷設型で対応可能にした安全で作業性が良く、施工費用の掛からない安価な連節型ブロックを開発する事にある。【解決手段】  縦・横の一辺がそれぞれ同一の所定寸法で、高さが所定寸法を有する截頭正四角錐状のブロック本体を設け、且つ、該ブロック本体の四角を傾斜に沿った凹型Ｒ形状に同一に切り欠いた植生緑化部をそれぞれ設け、且つ、該ブロック本体傾斜部の上下及び左右方向に同一凹凸形状の係止部をそれぞれ設けて、左右及び上下方向の連結を可能にし、又、複数のブロックを敷設した状態において、水平方向の凹凸係止部（３）（２）及び鉛直方向の凹凸係止部（３）（２）の固定を可能とし、敷設作業の簡易化及び小型ブロックから大型ブロックまで、曲面及び折れ面敷設型で対応可能にしたものである。【選択図】  図１
2006057410.tif 000002
【特許請求の範囲】
【請求項１】
主に河川の護岸や法面用等に使用する連結・連節型ブロックであって、該ブロック（１）は、縦・横の一辺がそれぞれ同一の所定寸法（Ｗ）・（Ｗ）で、高さが所定寸法（Ｈ）を有する截頭正四角錐状のブロック本体（１’）を設け、且つ、該ブロック本体（１’）の四角を傾斜に沿った凹型Ｒ形状に同一に切り欠いた植生緑化部（４）をそれぞれ設け、且つ、該ブロック本体（１’）傾斜部の上下及び左右方向に、同一凹凸形状の係止部（３）（２）・（３）（２）をそれぞれ設けて、左右及び上下方向の連結を可能にした事を特徴とする連節型ブロック。
【請求項２】
複数のブロック（１）を敷設した状態において、水平方向の凹凸係止部（３）（２）及び鉛直方向の凹凸係止部（３）（２）の固定を可能とし、敷設作業の簡易化及び小型ブロックから大型ブロックまで、曲面及び折れ面敷設型で対応可能にした事を特徴とする請求項１記載の連節型ブロック。
【発明の詳細な説明】
【技術分野】
【０００１】
この発明は、主に河川の護岸や法面用等に使用する連節型ブロックに関するものである。
【背景技術】
【０００２】
従来、護岸・河川堤防・道路・造成等の法面及び斜面の保護工事には、通常、育成基盤材・植生人口張芝等による法面緑化工及び張りブロック・格子枠ブロック（コンクリート・鉄・樹脂製）等が用いられている。
【０００３】
又、育成基盤材・植生人口張芝等は、緑化基盤材（種子吹付）・植生筋芝・植生張芝を施工現場の法面成形地盤面に対し直接施工が一般的である。
【０００４】
そして、この直接施工は、安価ではあるが施工直後の直接降雨による育成基盤材等の流出又は気象条件等により植生効果が不安定であり、繰り返し植生工を行う場合がある。又、地表面の侵食があり再成形等の補修を行う場合がある。
【０００５】
又、張りブロック・格子枠ブロックは、各製品が分割して製造された後、施工現場に運搬され敷設面において組立施工するのが一般的である。
【０００６】
この組立施工では、クレーン等により施工箇所に搬送された後、斜面上で作業が行われ敷設作業は長時間斜面上で安全ロープ等を装備して作業を行う為、危険、且つ、労力と時間を割いている。
【０００７】
又、法面の斜面肩部と水平部との連結性が無く、製品の斜面上での滑動を抑制する場合、斜面肩水平部を杭打ち等で行う安定方法が一般的であるが、張りブロック・格子枠ブロックの場合は独立した各ブロック及び各格子枠に抑制杭打ち等を必要とし、安定用抑制杭打ちが多数必要となる為、安全性・作業性・経済性面で問題があった。
【０００８】
そこで、これまでに出願されている連節ブロックの特許文献を参考の為に紹介する。（特許文献１〜２参照。）
【特許文献１】実開平７−２５０２６
【特許文献２】特開２００１−１２３５７７
【０００９】
従って、これからのブロック安定方法は、抑制杭打ちの必要の無いブロック又は施工方法を考案・発明し、安全で作業性が良く、施工費用の掛からない安価なブロックの開発が望まれる。
【発明の開示】
【発明が解決しようとする課題】
【００１０】
そこで、上記課題を解決する為に、この発明は、水平方向の凹凸係止部及び鉛直方向の凹凸係止部の固定を可能とし、敷設作業の簡易化及び小型ブロックから大型ブロックまで、曲面及び折れ面敷設型で対応可能にした安全で作業性が良く、施工費用の掛からない安価な連節型ブロックを開発・提供する事にある。
【課題を解決するための手段】
【００１１】
この課題を解決する為の手段として、この発明のブロックは、縦・横の一辺がそれぞれ同一の所定寸法で、高さが所定寸法を有する截頭正四角錐状のブロック本体を設け、且つ、該ブロック本体の四角を傾斜に沿った凹型Ｒ形状に同一に切り欠いた植生緑化部をそれぞれ設け、且つ、該ブロック本体傾斜部の上下及び左右方向に同一凹凸形状の係止部をそれぞれ設けて、左右及び上下方向の連結を可能にしたものである
【００１２】
又、複数のブロックを敷設した状態において、水平方向の凹凸係止部（３）（２）及び鉛直方向の凹凸係止部（３）（２）の固定を可能とし、敷設作業の簡易化及び小型ブロックから大型ブロックまで、曲面及び折れ面敷設型で対応可能にしたものである。
【発明の効果】
【００１３】
この発明の効果として、水平方向の凹凸係止部及び鉛直方向の凹凸係止部の固定を可能とする事で、敷設作業の簡易化及び小型ブロックから大型ブロックまで、曲面及び折れ面での敷設対応が可能と成り、全ブロックがフレキシブルに連節される事で、個々の浮き上がりや捲れが無く、連結金具を必要としない為、安全性・経済性・作業性面で極めて有益なる効果を奏するものである。
【００１４】
又、この発明は、吊り上げ・設置用把持及びブロック搬送装置（特許第２６３１２０６号）での施工が可能である為、特に作業性・運搬性面で効率的である。
【発明を実施するための最良の形態】
【００１５】
この発明の最良の形態として、ブロックの大きさ（寸法・形状）や使用場所に応じた材質及び凹凸ヒンジ係止部の位置・寸法設定をする事が重要である。
【実施例１】
【００１６】
そこで、この発明の一実施例を図１〜図２に基づいて詳述すると、主に河川の護岸や法面用等に使用する連結・連節型ブロックであって、該ブロック（１）は、縦・横の一辺がそれぞれ同一の所定寸法（Ｗ）・（Ｗ）で、高さが所定寸法（Ｈ）を有する截頭正四角錐状のブロック本体（１’）を設け、且つ、該ブロック本体（１’）の四角を傾斜に沿った凹型Ｒ形状に同一に切り欠いた植生緑化部（４）をそれぞれ設け、且つ、該ブロック本体（１’）傾斜部の上下及び左右方向に、同一凹凸形状の係止部（３）（２）・（３）（２）をそれぞれ設けて、上下及び左右方向の連結を可能にした事を特徴とする連節型ブロックから構成される。
【００１７】
又、複数のブロック（１）を敷設した状態において、水平方向の凹凸係止部（３）（２）及び鉛直方向の凹凸係止部（３）（２）の固定を可能とし、敷設作業の簡易化及び小型ブロックから大型ブロックまで、曲面及び折れ面敷設型で対応可能にした事を特徴とする連節型ブロックから構成される。
【００１８】
次に、この発明の連節型ブロックについて詳細に説明すると、ブロック（１）の部材は普通コンクリート又はポーラスコンクリート製で形成され、ブロック本体（１’）の形状は縦・横一辺が２００ｍｍで、高さが１００ｍｍの截頭正四角錐状をしていて、ブロック本体（１’）は敷設場所の形状変化に対応出来る様、ブロックの周囲に傾斜を設け、又、ブロック本体（１’）の角部は複数のブロックを組み合わせた時に円形状の植生緑化部（４）が出来る様、半径４０ｍｍの傾斜に沿った凹型Ｒ形状に同一に切り欠いである。そして、ブロック本体（１’）傾斜部の上下及び左右方向に同一凹凸形状の係止部（３）（２）・（３）（２）をそれぞれ設けてブロック同士が上下・左右にそれぞれ連結出来、凸形係止部（２）の面取部（２ａ）は曲面及び折れ面敷設持に凹部係止部の穴底と干渉しない様に配慮したものである。
【００１９】
次に、ブロックの施工方法に関して詳述すると、例えば曲面の斜面に敷設する場合は、図４に示す様に、曲面に沿わせながら下側から左右方向に向けて一列ずつ順番に上側に向けて凹凸係止部（３）（２）を噛み合わせながら敷設していく。又、この際の左右方向の敷設も同じ要領で凸部係止部（２）に凹部係止部（３）を噛み合わせながら一個ずつ順番に敷設していく。
【実施例２】
【００２０】
その他の実施例として、ブロックマットとしてシート部材（Ｓ）に敷設する場合は図３に示す様に、予め斜面の下方部へ斜面に沿ってシートを敷設し、ブロック本体の凹部係止部が上側で凸部係止部が下側に成る様にして、下側から一列ずつ順番に敷設しながら徐々に上方向に向けて敷設していく。
【００２１】
又、上記ブロックマットのシート部材（Ｓ）とブロック（１）間には、接着剤等の係着手段（Ｇ）で確実に係止する。
【産業上の利用可能性】
【００２２】
この発明の連節型ブロックは、凹凸係止部を設けて水平方向の連結と垂直方向を固定可能にする事で、敷設時の位置合わせが容易に成り、且つ、曲面及び折れ面での敷設対応が可能に成り、又、浮き上がりや捲れが無くなる事で土木建設市場に寄与する点で、産業上の利用可能性を有する。
【図面の簡単な説明】
【００２３】
【図１】この発明の一実施例を示し、（Ａ）は平面図で、（Ｂ）は一部欠截正面図である。
【図２】この発明の一実施例を示し、（Ａ）は一部欠截右側面図で、（Ｂ）は図１（Ａ）のａ−ａ矢視断面図である。
【図３】この発明の一実施例を示し、（Ａ）は標準マット敷設持の平面図で、（Ｂ）は正面図で、（Ｃ）は図３（Ｂ）のａ部拡大詳細図である。
【図４】この発明の使用例を示し、曲面使用時の局部断面図である。
【符号の説明】
【００２４】
１  ブロック
１’  ブロック本体
２  凸形係止部
２ａ  面取部
３  凹形係止部
４  植生緑化部
Ｇ  接着剤等の係着手段
Ｈ  所定高さ寸法
Ｓ  シート部材
Ｗ  所定寸法（縦・横寸法）
【図１】
2006057410.tif 000003
【図２】
2006057410.tif 000004
【図３】
2006057410.tif 000005
【図４】
2006057410.tif 000006